(57)【特許請求の範囲】
【請求項１】
電気絶縁性の可撓性シースの先端に導電性の棒状の高周波電極が前方に向かって突出する状態に配置されて、上記可撓性シース内に挿通配置された導電線の先端が上記高周波電極の後端部に接続され、上記導電線を介して上記高周波電極に高周波電流を通電することができるように構成された内視鏡用高周波ナイフにおいて、
上記棒状の高周波電極が上記可撓性シースの先端部分に支軸を中心に回動自在に配置されると共に、上記導電線が上記可撓性シース内に軸線方向に進退自在に配置されて、上記導電線の先端が上記高周波電極の後端付近に連結され、
上記導電線を基端側から進退操作することにより、上記可撓性シースの先端部分において上記導電線の先端部分と上記高周波電極のみが上記支軸を中心に回動して、上記可撓性シースの先端の向きが変わることなく上記可撓性シースの先端からの上記高周波電極の突出方向が変わるようにしたことを特徴とする内視鏡用高周波ナイフ。
【請求項２】
上記支軸が上記高周波電極の棒状部分の軸線の延長線に対して直交する向きに配置されている請求項１記載の内視鏡用高周波ナイフ。
【請求項３】
上記支軸が、上記高周波電極に対する上記導電線接続部との間に間隔をあけて上記高周波電極の後半部分に取り付けられている請求項１又は２記載の内視鏡用高周波ナイフ。
【請求項４】
上記支軸を支持する支持枠体が上記可撓性シースの先端に取り付けられている請求項１、２又は３記載の内視鏡用高周波ナイフ。
【請求項５】
上記支持枠体に上記支軸の両端部が支持されて、上記支軸の中間部分に上記高周波電極が回動自在に支持されている請求項４記載の内視鏡用高周波ナイフ。
【請求項６】
上記高周波電極の回動可能範囲を規制するストッパが上記支持枠体に設けられている請求項４又は５記載の内視鏡用高周波ナイフ。
【請求項７】
上記高周波電極の回動可能範囲の一端側では上記高周波電極が上記可撓性シースの真っ直ぐ前方を向き、他端側では上記高周波電極が斜め前方を向くように、上記高周波電極の回動可能範囲が上記ストッパにより規制される請求項６記載の内視鏡用高周波ナイフ。
【請求項８】
上記支持枠体の外周面の全面が上記可撓性シースによって被覆されている請求項４ないし７のいずれかの項に記載の内視鏡用高周波ナイフ。
【請求項９】
上記高周波電極が回動した時に上記高周波電極の後端側の部分が出入りする穴が上記支持枠体の側面部に形成されている請求項４ないし７のいずれかの項に記載の内視鏡用高周波ナイフ。
【請求項１０】
上記高周波電極が上記支軸付近で屈曲した形状に形成されている請求項１ないし９のいずれかの項に記載の内視鏡用高周波ナイフ。
【請求項１１】
上記高周波電極が、先端付近で曲がったフック状の形状に形成されている請求項１ないし１０のいずれかの項に記載の内視鏡用高周波ナイフ。
【請求項１２】
上記高周波電極が全長にわたって真っ直ぐな形状に形成されている請求項１ないし８のいずれかの項に記載の内視鏡用高周波ナイフ。
【請求項１３】
上記導電線が押し込み操作された時に上記高周波電極を回動させ易い方向に上記導電線に曲がり癖が付けられている請求項１ないし１２のいずれかの項に記載の内視鏡用高周波ナイフ。
【発明の詳細な説明】
【技術分野】
【０００１】
この発明は、内視鏡の処置具挿通チャンネルに通され、高周波電流を通電して体内粘膜の切開等に用いられる内視鏡用高周波ナイフに関する。
【背景技術】
【０００２】
内視鏡用高周波ナイフは一般に、電気絶縁性の可撓性シースの先端に棒状の導電性の高周波電極が前方に向かって突出する状態に配置されて、可撓性シース内に挿通配置された導電線の先端が高周波電極の後端部に接続され、導電線を介して高周波電極に高周波電流を通電することができるように構成されている（例えば、特許文献１、２）。
【特許文献１】特開２００２−１１３０１６
【特許文献２】特開２００２−１５３４８４
【発明の開示】
【発明が解決しようとする課題】
【０００３】
内視鏡用高周波ナイフによる処置は、体内粘膜を狙った通りの方向に狙った通りの深さで狙った通りの範囲だけ切開する必要があり、非常に微妙な動作制御を必要とする場合が少なくない。そのため、内視鏡の挿入部の先端から突出された高周波電極の向きを、所望される切開状態に合わせて調整する必要が生じる。
【０００４】
しかし、内視鏡に設けられた湾曲部の屈曲動作や処置具起上装置の起上操作等による方向変換等では、高周波電極の向きを小回りがきいた状態に変えることができない。また、高周波ナイフを構成する可撓性シースの先端近傍を遠隔操作によって屈曲するように構成しても、構造が徒に複雑になるにもかかわらず高周波電極の小回りがそれほど可能になるわけでもない。
【０００５】
そこで本発明は、シンプルで簡単な構造により、棒状の高周波電極の向きだけを手元側からの操作で任意に変えることができて、小回りのきいた内視鏡的切開処置を行うことができるようにした内視鏡用高周波ナイフを提供することを目的とする。
【課題を解決するための手段】
【０００６】
上記の目的を達成するため、本発明の内視鏡用高周波ナイフは、電気絶縁性の可撓性シースの先端に導電性の棒状の高周波電極が前方に向かって突出する状態に配置されて、可撓性シース内に挿通配置された導電線の先端が高周波電極の後端部に接続され、導電線を介して高周波電極に高周波電流を通電することができるように構成された内視鏡用高周波ナイフにおいて、棒状の高周波電極を可撓性シースの先端部分に支軸を中心に回動自在に配置すると共に、導電線を可撓性シース内に軸線方向に進退自在に配置し、導電線を基端側から進退操作することにより高周波電極が支軸を中心に回動して、可撓性シースの先端からの高周波電極の突出方向を変えることができるようにしたものである。
【０００７】
なお、支軸が高周波電極の棒状部分の軸線の延長線に対して直交する向きに配置されていてもよく、支軸が、高周波電極に対する導電線接続部との間に間隔をあけて高周波電極の後半部分に取り付けられていてもよい。
【０００８】
また、支軸を支持する支持枠体が可撓性シースの先端に取り付けられていてもよく、支持枠体に支軸の両端部が支持されて、支軸の中間部分に高周波電極が回動自在に支持されていてもよい。
【０００９】
そして、高周波電極の回動可能範囲を規制するストッパが支持枠体に設けられていてもよく、高周波電極の回動可能範囲の一端側では高周波電極が可撓性シースの真っ直ぐ前方を向き、他端側では高周波電極が斜め前方を向くように、高周波電極の回動可能範囲がストッパにより規制されるようにしてもよい。
【００１０】
また、支持枠体の外周面の全面が可撓性シースによって被覆されていてもよく、或いは、高周波電極が回動した時に高周波電極の後端側の部分が出入りする穴が支持枠体の側面部に形成されていてもよい。
【００１１】
また、高周波電極が支軸付近で屈曲した形状に形成されていてもよく、先端付近で曲がったフック状の形状に形成されていてもよい。また、高周波電極が全長にわたって真っ直ぐな形状に形成されていてもよく、導電線が押し込み操作された時に高周波電極を回動させ易い方向に導電線に曲がり癖が付けられていてもよい。
【発明の効果】
【００１２】
本発明によれば、可撓性シース内に通された導電線を基端側から進退操作することにより棒状の高周波電極が支軸を中心に回動して、可撓性シースの先端からの高周波電極の突出方向を変えることができるので、極めてシンプルで簡単な構造により、高周波電極の向きだけを手元側からの操作で任意に変えて、術者の意に則した小回りのきいた内視鏡的切開処置を行うことができる。
【発明を実施するための最良の形態】
【００１３】
電気絶縁性の可撓性シースの先端に導電性の棒状の高周波電極が前方に向かって突出する状態に配置されて、可撓性シース内に挿通配置された導電線の先端が高周波電極の後端部に接続され、導電線を介して高周波電極に高周波電流を通電することができるように構成された内視鏡用高周波ナイフにおいて、棒状の高周波電極を可撓性シースの先端部分に支軸を中心に回動自在に配置すると共に、導電線を可撓性シース内に軸線方向に進退自在に配置し、導電線を基端側から進退操作することにより高周波電極が支軸を中心に回動して、可撓性シースの先端からの高周波電極の突出方向を変えることができるようにする。
【実施例】
【００１４】
図面を参照して本発明の実施例を説明する。
図３は、本発明の第１の実施例の内視鏡用高周波ナイフを示しており、図示されていない内視鏡の処置具挿通チャンネルに挿脱される可撓性シース１は、例えば四フッ化エチレン樹脂チューブ等のような電気絶縁性の可撓性チューブにより形成されている。
【００１５】
可撓性シース１の先端には、導電性の高周波電極２が首振り自在に前方に向かって突出配置されており、可撓性シース１内には、導電性の操作ワイヤ３（導電線）が軸線方向に進退自在に全長にわたって挿通配置されて、その先端が高周波電極２に接続されている。
【００１６】
可撓性シース１の基端には操作部１０が連結されており、操作部１０にスライド自在に配置されたスライド操作部材１１をスライド操作することにより、操作ワイヤ３が進退操作されて可撓性シース１の先端で高周波電極２を首振り動作させることができる。
【００１７】
また、スライド操作部材１１には図示されていない高周波電源コードを接続するための接続端子１２が設けられており、そこに高周波接続端子を接続することにより、操作ワイヤ３を介して高周波電極２に高周波電流を通電することができる。
【００１８】
図４は、内視鏡用高周波ナイフが内視鏡５０の処置具挿通チャンネルに通された使用状態を示しており、処置具挿入口５１から処置具挿通チャンネルに差し込まれた可撓性シース１の先端部分が内視鏡挿入部先端の処置具突出口５２から突出し、可撓性シース１の先端から突出する高周波電極２に高周波電流を通電することにより、高周波電極２に接触している体内粘膜をジュール熱で切開することができる。操作部１０の接続端子１２には高周波電源コード２０が接続されている。
【００１９】
図５は内視鏡用高周波ナイフの先端部分の側面断面図、図６は正面断面図であり、可撓性シース１の最先端部分には、例えばステンレス鋼等のような剛体からなる支持枠体４が嵌め込まれた状態で接合固定されている。なお、支持枠体４は硬質プラスチック等で形成してもよい。
【００２０】
支持枠体４の外周面は全面が可撓性シース１により被覆されて電気絶縁された状態になっている。また、支持枠体４内には空間４ａが形成されてその空間４ａ内から後方に貫通するワイヤ通し孔４ｂが後端寄りの部分の軸線位置に形成されている。
【００２１】
高周波電極２は全体が真っ直ぐに形成されていて、可撓性シース１の先端から前方に突出する部分は細い円柱状の棒状に形成されているが、可撓性シース１内に位置する部分は、支持枠体４の空間４ａの幅に合わせてそこに緩く内接する幅広部２ａになっている。
【００２２】
そして、図６におけるVII−VII断面を図示する図７にも示されるように、高周波電極２には、棒状部分の軸線の延長線に対して直交する向きに、幅広部２ａを横断する状態に貫通孔が形成されていて、可撓性シース１の直径位置においてその貫通孔に緩く通された支軸５の両端が支持枠体４にかしめ等で固定されて支持されている。
【００２３】
したがって高周波電極２の幅広部２ａが支軸５の両端の支持部と支持部との中間部分において支軸５に回動自在に支持されていて、高周波電極２が支軸５を中心に自由に回動することができる状態になっている。
【００２４】
図５及び図６に戻って、操作ワイヤ３の先端はループ状に形成されて、その部分が高周波電極２の後端近傍に形成された接続孔６に緩く通されて接続／連結されている。支軸５は、接続孔６との間に間隔をあけて高周波電極２の後半部分の幅広部２ａを貫通している。
【００２５】
このように構成された実施例の内視鏡用高周波ナイフにおいては、図５に示されるように、操作ワイヤ３が操作部１０側から牽引された状態では、高周波電極２が可撓性シース１の軸線の延長線上で真っ直ぐ前方に向いた状態になる。なお、その状態で高周波電極２がぐらつかないように、高周波電極２の幅広部２ａに当接して高周波電極２の回動可能範囲を規制する第１ストッパ７が支持枠体４の先端部分に形成されている。
【００２６】
そして、操作ワイヤ３が操作部１０側から押し込み操作されると、図１及び図２に示されるように、高周波電極２が支軸５を中心に回動して可撓性シース１の先端部分で斜め前方に向けて首を振った状態になる。
【００２７】
この状態のときに高周波電極２の回動可能範囲を規制する第２ストッパ８が支持枠体４の先端に形成されている。ただし、支持枠体４の空間４ａ内において高周波電極２の後端が当接する部分を第２ストッパ８′にしてもよい。また、図１に示されるように、操作ワイヤ３が押し込み操作された時に高周波電極２が回動し易くなる方向に、操作ワイヤ３に僅かに曲がり癖を付けておくとよい。
【００２８】
このようにして、操作部１０からの操作によって可撓性シース１の先端からの高周波電極２の突出方向を真っ直ぐな状態と斜め前方に向いた状態の間で首を振らせて任意に変えることができ、高周波電極２だけが方向変換をして非常に小回りがきくので、体内粘膜を切開する際に高周波電極２の位置と向きを細かく制御して所望の状態に切開することができる。
【００２９】
図８は本発明の第２の実施例の内視鏡用高周波ナイフの先端部分を示しており、高周波電極２が支軸５付近でくの字状に屈曲した形状に形成されて、接続孔６が高周波電極２の棒状の前方突出部分の軸線の延長線から外れた位置に配置されている。その他の点は前述の第１の実施例と同様の構成である。
【００３０】
このように構成された実施例の内視鏡用高周波ナイフにおいては、操作部１０側から操作ワイヤ３を押し込み操作すると図８に示されるように高周波電極２が真っ直ぐの状態になり、引っ張り操作すると図９に示されるように高周波電極２が斜め前方に首を振った状態になる。
【００３１】
図１０は、本発明の第３の実施例の内視鏡用高周波ナイフの先端部分を示しており、棒状の高周波電極２を先端付近でフック状に曲げて形成したものである。このように、高周波電極２は、使用目的等に応じて適宜の形状にすることができる。
【００３２】
図１１は、本発明の第４の実施例の内視鏡用高周波ナイフの先端部分を示しており、支持枠体４を、可撓性シース１の前方に突出する状態に配置して、支持枠体４の後端寄りの部分を可撓性シース１の先端内に嵌め込んで連結固定したものである。
【００３３】
そしてこの実施例では、接続孔６が高周波電極２の棒状の前方突出部分の軸線の延長線上にあるものの、高周波電極２が支軸５の前後で各々くの字状に曲がった形状に形成されていて、さらに、高周波電極２が回動した時に高周波電極２の後端部分２ｂが出入りする穴４ｃが支持枠体４の側面部に形成されている。
【００３４】
このように構成することにより、図１２及び図１３に示されるように、高周波電極２の後端部分２ｂ付近が支持枠体４の穴４ｃから飛び出した状態まで高周波電極２を回動させることができるので、高周波電極２を大きな角度回動させて可撓性シース１の先端からの突出方向を広範囲に変換することができる。
【図面の簡単な説明】
【００３５】
【図１】本発明の第１の実施例の内視鏡用高周波ナイフの高周波電極が首を振った状態の先端部分の側面断面図である。
【図２】本発明の第１の実施例の内視鏡用高周波ナイフの高周波電極が首を振った状態の先端部分の斜視図である。
【図３】本発明の第１の実施例の内視鏡用高周波ナイフの全体構成を示す側面図である。
【図４】本発明の第１の実施例の内視鏡用高周波ナイフが内視鏡の処置具挿通チャンネルに通された状態の側面図である。
【図５】本発明の第１の実施例の内視鏡用高周波ナイフの先端部分の側面断面図である。
【図６】本発明の第１の実施例の内視鏡用高周波ナイフの先端部分の正面断面図である。
【図７】本発明の第１の実施例の内視鏡用高周波ナイフの図６におけるVII−VII断面図である。
【図８】本発明の第２の実施例の内視鏡用高周波ナイフの先端部分の側面断面図である。
【図９】本発明の第２の実施例の内視鏡用高周波ナイフの高周波電極が首を振った状態の先端部分の側面断面図である。
【図１０】本発明の第３の実施例の内視鏡用高周波ナイフの先端部分の側面図である。
【図１１】本発明の第４の実施例の内視鏡用高周波ナイフの先端部分の側面断面図である。
【図１２】本発明の第４の実施例の内視鏡用高周波ナイフの高周波電極が首を振った状態の先端部分の側面断面図である。
【図１３】本発明の第４の実施例の内視鏡用高周波ナイフの高周波電極が首を振った状態の先端部分の斜視図である。
【符号の説明】
【００３６】
１  可撓性シース
２  高周波電極
２ｂ  後端部分
３  操作ワイヤ（導電線）
４  支持枠体
４ｃ  穴
５  支軸
６  接続孔
７  第１ストッパ
８，８′  第２ストッパ
１０  操作部
１２  接続端子
【図１】
0004441492.tif 000002
【図２】
0004441492.tif 000003
【図３】
0004441492.tif 000004
【図４】
0004441492.tif 000005
【図５】
0004441492.tif 000006
【図６】
0004441492.tif 000007
【図７】
0004441492.tif 000008
【図８】
0004441492.tif 000009
【図９】
0004441492.tif 000010
【図１０】
0004441492.tif 000011
【図１１】
0004441492.tif 000012
【図１２】
0004441492.tif 000013
【図１３】
0004441492.tif 000014